(57)【要約】【課題】  携帯端末を用いて番組放映中に簡単に詳細情報を入手できるようにすることを課題とする。【解決手段】  サーバ４に接続されるデータベース（ＤＢ）５には、テレビ番組のチャンネルを含む放映情報に対応付けて各番組の詳細情報が記憶される。サーバ４においては、番組放映中に、携帯電話１からのチャンネル操作が受信されると、そのチャンネル操作に応答してチャンネルを判断し、かつ、ＤＢ5を参照して、携帯電話１に対してチャンネルに対応する番組の詳細情報を提示する。【選択図】  図１
2005333405.tif 000002
【特許請求の範囲】
【請求項１】
ネットワークを通じて携帯端末との間で通信する情報提供システムであって、
テレビ番組のチャンネルを含む放映情報に対応付けて各番組の詳細情報を記憶する記憶手段と、
番組放映中に、携帯端末からのチャンネル操作を受信するチャンネル受信手段と、
前記チャンネル受信手段で受信されたチャンネル操作に応答してチャンネルを判断し、前記記憶手段を参照して前記携帯端末に対して前記チャンネルに対応する詳細情報を提示する提示手段と、
を備えたことを特徴とする情報提供システム。
【請求項２】
ネットワークを通じてサーバより携帯端末に対して情報を提供する情報提供方法であって、
番組放映中に、携帯端末からのチャンネル操作を受信する第１ステップと、
テレビ番組のチャンネルを含む放映情報に対応付けて各番組の詳細情報をメモリに記憶しておき、前記第１ステップで受信されたチャンネル操作に応答してチャンネルを判断し、前記メモリを参照して前記携帯端末に対して前記チャンネルに対応する詳細情報を提示する第２ステップと、
を含んだことを特徴とする情報提供方法。
【請求項３】
ネットワークを通じて携帯端末に対して情報を提供するサーバのコンピュータにより実行可能な情報提供プログラムであって、
前記コンピュータに、
番組放映中に、携帯端末からのチャンネル操作を受信する第１ステップと、
テレビ番組のチャンネルを含む放映情報に対応付けて各番組の詳細情報をメモリに記憶しておき、前記第１ステップで受信されたチャンネル操作に応答してチャンネルを判断し、前記メモリを参照して前記携帯端末に対して前記チャンネルに対応する詳細情報を提示する第２ステップと、
を実行させることを特徴とする情報提供プログラム。
【発明の詳細な説明】
【技術分野】
【０００１】
本発明は、たとえば、情報提供システム、情報提供方法および情報提供プログラムに関するものである。
【背景技術】
【０００２】
インターネットを通じてパーソナルコンピュータ（ＰＣ）を用いてテレビ番組の詳細情報を入手することは一般に行われている。最近は、携帯電話からインターネットにアクセスしてＷＥＢ閲覧することも可能であり、電子商取引として、コンサートチケット、映画チケット、ＣＤなどの商品などの購入手続きまでを完了させることができる。
【０００３】
たとえば携帯電話にＱＲコードのような２次元コードを撮像してＵＲＬを取得する機能さえあれば、携帯電話を用いて簡単にＷＥＢ接続することができる。その一例として、広告媒体に印刷されたＱＲコードを携帯電話で撮影し、ＱＲコードが示す接続情報に基づいて情報センタにアクセスし、広告に関する情報を入手するス方が提案されている（特許文献１）。
【０００４】
【特許文献１】特開２００２−１１８６８０号公報
【発明の開示】
【発明が解決しようとする課題】
【０００５】
上述したように従来例においては、広告媒体がある場所に行くか、雑誌などを購入してその雑誌に掲載される広告から情報センタにアクセスすることが条件であった。ところが、顧客においては、テレビ番組を視聴しているときに、その場面で使用される商品やサービスについて関心を抱いたり、俳優などの出演者に興味をもつことが多い。このように、テレビの影響力がとくに大きいことは事実である。
【０００６】
そこで今日、テレビを視聴しながら、番組放映中に簡単に詳細情報を入手できる仕組みが期待されていた。
【０００７】
本発明の目的は、携帯端末を用いて番組放映中に簡単に詳細情報を入手することが可能な情報提供システム、情報提供方法および情報提供プログラムを提供する点にある。
【課題を解決するための手段】
【０００８】
上述した課題を解決し、上記目的を達成するため、請求項１の発明に係る情報提供システムは、ネットワークを通じて携帯端末との間で通信する情報提供システムであって、テレビ番組のチャンネルを含む放映情報に対応付けて各番組の詳細情報を記憶する記憶手段と、番組放映中に、携帯端末からのチャンネル操作を受信するチャンネル受信手段と、前記チャンネル受信手段で受信されたチャンネル操作に応答してチャンネルを判断し、前記記憶手段を参照して前記携帯端末に対して前記チャンネルに対応する詳細情報を提示する提示手段と、を備えたことを特徴とするものである。
【０００９】
また、請求項２の発明に係る情報提供方法は、ネットワークを通じてサーバより携帯端末に対して情報を提供する情報提供方法であって、番組放映中に、携帯端末からのチャンネル操作を受信する第１ステップと、テレビ番組のチャンネルを含む放映情報に対応付けて各番組の詳細情報をメモリに記憶しておき、前記第１ステップで受信されたチャンネル操作に応答してチャンネルを判断し、前記メモリを参照して前記携帯端末に対して前記チャンネルに対応する詳細情報を提示する第２ステップと、を含んだことを特徴とするものである。
【００１０】
また、請求項３の発明に係る情報提供プログラムは、ネットワークを通じて携帯端末に対して情報を提供するサーバのコンピュータにより実行可能な情報提供プログラムであって、前記コンピュータに、番組放映中に、携帯端末からのチャンネル操作を受信する第１ステップと、テレビ番組のチャンネルを含む放映情報に対応付けて各番組の詳細情報をメモリに記憶しておき、前記第１ステップで受信されたチャンネル操作に応答してチャンネルを判断し、前記メモリを参照して前記携帯端末に対して前記チャンネルに対応する詳細情報を提示する第２ステップと、を実行させることを特徴とするものである。
【発明の効果】
【００１１】
本発明によれば、携帯端末を用いて番組放映中に簡単に詳細情報を入手することが可能な情報提供システム、情報提供方法および情報提供プログラムを得られるという効果を奏する。
【発明を実施するための最良の形態】
【００１２】
以下、添付図面を参照して本発明に係る一実施の形態を詳述する。図１は、本発明の一実施の形態における、全体システムを示す図である。このシステムでは、サーバ４と、サーバ４に接続されたＤＢ５により、インターネット３および移動体通信網２を介して、携帯電話（代表として携帯電話１を示す）の利用者に、番組の詳細情報を提供する。携帯電話１においては、サーバ４にアクセスし、テレビ装置ＴＶに放映される番組視聴中、その放映番組のチャンネルを入力してサーバ４から入力チャンネルの詳細情報を入手することができる。
【００１３】
サーバ４は、テレビ番組のチャンネルに対応付けて番組コンテンツに関連する詳細情報（たとえば、番組情報５１）をＤＢ５に記憶させる構成である。サーバ４においては、リンクしてきた携帯電話１に対してＤＢ５に記憶される番組情報５１を提示することになる。
【００１４】
携帯電話１は、通常の携帯電話機能の他に、ディスプレイ１１、カメラ１２、通信ＡＰ（アプリケーション）１３などを備え、通信ＡＰ１３を起動させてサーバ４との間でネットワークを介して通信を行う。携帯電話１においては、通信ＡＰ１３のブラウザ機能により、ＷＥＢ閲覧を行うことが可能である。
【００１５】
サーバ４は、本発明の通信を担当する通信ＡＰ（アプリケーション）４１を備えている。ＤＢ５は、番組情報５１を備えている。なお、サーバ４では、会員登録や会員認証などを行うことを可能にし、たとえばオンラインでの認証や決済の支援を可能にしている。このため、図示せぬが、会員の氏名、住所、メールアドレス、ユーザ固有の識別情報などをＤＢ５に登録しているものとする。
【００１６】
つぎに、携帯電話１、サーバ４について詳述する。図２は携帯電話の内部構成例を示すブロック図、図３はサーバ４の内部構成例を示すブロック図、そして、図４はサーバ４に接続されるＤＢ５を説明する図である。
【００１７】
携帯電話１の例としての構成および機能を図２より詳細に示す。内部システムバス２６に、通信処理部１５、音声処理部１７、ＣＰＵ２０、ＲＯＭ２１、ＲＡＭ２２、キー群２５、ディスプレイ１１、カメラ１２などを接続させ、データ、アドレス信号、制御信号などを伝送させることで各種の処理を実現する構成である。
【００１８】
通信処理部１５は、アンテナ１６に接続され、アンテナ１６を介して移動体通信網２と通信を行うものである。この通信処理部１５により、音声通話やサーバ４との通信を実現することができる。
【００１９】
音声処理部１７は、音声出力のためのスピーカ１８、音声入力のためのマイク１９をそれぞれ接続させており、受話時や送話時の音声処理を行うものである。
【００２０】
ＣＰＵ２０は、携帯電話１全体の制御をＲＯＭ２１に格納されたＯＳにしたがって行うものである。ＲＯＭ２１は、あらかじめインストールされているＯＳなどのプログラムを格納している。ＣＰＵ２０は、携帯用の各種アプリケーション（たとえばＪＡＶＡ（登録商標）アプリケーション）により本実施の形態による処理などを制御する。また、このＣＰＵ２０は、キー群２５からの入力を受け付けて各種の処理を実行させたり、各種の処理に応じてディスプレイ１１への表示を制御したりする。
【００２１】
ＲＡＭ２２は、本実施の形態による通信を実現するための通信ＡＰ１３、ワークエリア１４等を備えている。キー群２５は、電話番号、アドレスなどの入力を行ったり、後述するサービス選択実行時の入力を行ったりするための各種キーを備えている。ディスプレイ１１は、撮像画像を表示したり、操作用の案内画面を表示したり、電話やメールの機能を使うときの一般的な表示画面を表示したりするものである。
【００２２】
サーバ４は、たとえば図３に示したように、インターネット３に接続され、インターネット３を介して携帯電話との通信を制御したり、インターネット３に接続される各種端末との通信を制御する通信制御部４３、サーバ全体の制御を司る制御部４４、通信アプリケーション４１を記憶するとともにワークエリア４７などの領域を有する記憶部４６、ＤＢ５と接続するためのＤＢインタフェース４５などを備えている。
【００２３】
番組情報５１の場合には、テレビのチャンネルに対応させ、さらに放送時間帯に対応させて番組タイトル、その番組の詳細情報を格納しているリンク先を示すＵＲＬが記憶されている。ここで、ＵＲＬに記憶される番組の詳細情報については説明を省略する。まず、携帯電話１がサーバ４との接続状態でチャンネルを入力してサーバ４にその入力チャンネルを送り、サーバ４よりチャンネルに応じたページが携帯電話１に提供される。さらにそのページから番組の詳細情報を得るためのリンク先を示すＵＲＬが提供される仕組みが成立している。
【００２４】
図4の例では、１０：００−１１：００は１０ｃｈでドラマ「・・・」が放映されていることになり、その際に、携帯電話１から１０ｃｈの操作があれば、そのドラマ「・・・」に紐付けられているＵＲＬ（ｈｔｔｐ：／／・・・）へ飛ばされ、１０ｃｈの番組に関する詳細情報を入手できるページが提供される。
【００２５】
図５は、当該実施の形態の一実施例における、携帯電話１並びにサーバ４の処理および通信の内容を示すフローチャートであり、図６は、この通信における携帯電話１側の画面遷移を示すものである。
【００２６】
ユーザ（視聴者）がテレビ番組を視聴している段階では、あらかじめ番組情報を提供してくれるサイトにアクセスしておく。このように、携帯電話１から所定のＵＲＬに基づいてサイトへのアクセスが行われる（ステップＳ１０３）。サーバ４においては、アクセスが受け付けられると、ＷＥＢページが生成される（ステップＳ２０１）。ＷＥＢページは、サーバ４より携帯電話１に送信され（ステップＳ２０２）、携帯電話１では、受信されたページがディスプレイ１１に表示される（ステップＳ１０４）。
【００２７】
ＷＥＢページは、たとえば図６（Ａ）に示したように、所望のチャンネルをカーソルＣＳによりいつでも選択可能に表示される。１０１はチャンネルをマトリクス上に配列し、かつ、チャンネル単位で選択できる選択肢を示している。また、１０２は選択肢１０１のいずれかのチャンネルにカーソルＣＳが移動された状態で決定指示をサーバ４に送信するための決定ボタンを示している。
【００２８】
たとえば、１０：３０ごろにユーザが１０ｃｈのドラマ「・・・」を視聴中、選択肢１０１から１０ｃｈのボタン位置にカーソルＣＳを移動させ、決定ボタン１０２の操作がなされた場合には（ステップＳ１０５）、サーバ４にそのチャンネル操作が送信され、受け付けられる（ステップＳ２０３）。そして、操作がチャンネル操作であることが確認されると（ステップＳ２０４のＹＥＳルート）、まず会員判定が行われ（ステップＳ２０５）、会員の場合にはそのまま処理はステップＳ２０６に進み、非会員の場合には会員登録を勧めるページを提供する処理が実行される。
【００２９】
会員の場合には、処理はそのままステップＳ２０６に移行するので、そこでたとえば図６（Ｂ）のように１０ｃｈの情報検索中が表示された後、さらに同図（Ｃ）のように、現在１０ｃｈで放映中のドラマ「・・・」についてどんな情報を入手したいのかを質問するページが送られる。この場合には、図４の番組情報５１が参照される。図６（Ｃ）の例では、操作されたチャンネルすなわち１０ｃｈの番組紹介と入手したい情報を選択するための選択肢１０３が表示される。この選択肢１０３には、一例として、撮影現場、出演者、スポンサーなどの選択項目が含まれている。
【００３０】
サーバ４においては、一例として図６（Ｃ）のページが携帯電話１に提供されるとともに、携帯電話１側のさらなる操作を受け付けて（ステップＳ２０６）、たとえば「出演者」の選択項目が選択操作されると（ステップＳ１０７）、同図（Ｄ）のように、出演者がアーティストであればコンサート情報などをページによって提供することができる。このようなアーティストの場合には、チケット販売のように電子商取引に移行させることも可能である。
【００３１】
携帯電話１からの終了操作や電子商取引引が成立すると、携帯電話１に対する終了通知が作成され、送信される（ステップＳ２０７）。携帯電話１においては、サーバ４より受信された終了通知に基づく画面が形成される（ステップＳ１０８。
【００３２】
以上説明したように本実施の形態によれば、携帯端末を用いて番組放映中に簡単に詳細情報を入手することが可能である。
【産業上の利用可能性】
【００３３】
本発明は、情報提供システム、情報提供方法および情報提供プログラムを製造する産業で利用される。
【図面の簡単な説明】
【００３４】
【図１】本発明の一実施形態における、全体システムを示す図である。
【図２】本発明の一実施形態における携帯端末の構成を示す図である。
【図３】本発明の一実施形態におけるサーバの構成を示す図である。
【図４】本発明の一実施形態におけるデータベース（ＤＢ）の一テーブルの内容を示す図である。
【図５】本発明の一実施例における、携帯電話（携帯端末）並びにサーバの処理および通信の内容を示すフローチャートである。
【図６】本発明の一実施例における、画面遷移を示す図である。
【符号の説明】
【００３５】
１  携帯電話
１１  ディスプレイ
１２  カメラ
１３  通信ＡＰ
１４  撮像ＡＰ
１５  通信処理部
１６  アンテナ
１７  音声処理部
１８  スピーカ
１９  マイク
２０  ＣＰＵ
２１  ＲＯＭ
２３  コンテンツ格納エリア
２４  ワークエリア
２５  キー群
４  サーバ
４１  通信ＡＰ
４３  通信制御部
４４  （全体）制御部
４５  ＤＢインタフェース
５１  番組情報
【図１】
2005333405.tif 000003
【図２】
2005333405.tif 000004
【図３】
2005333405.tif 000005
【図４】
2005333405.tif 000006
【図５】
2005333405.tif 000007
【図６】
2005333405.tif 000008
【手続補正書】
【提出日】平成17年3月4日(2005.3.4)
【手続補正１】
【補正対象書類名】特許請求の範囲
【補正対象項目名】全文
【補正方法】変更
【補正の内容】
【特許請求の範囲】
【請求項１】
ネットワークを介して携帯端末との間で通信する情報提供システムであって、
テレビのチャンネル毎に、番組タイトル、放映時間帯および当該番組タイトルの詳細情報を入手するためのリンク先となるＵＲＬを対応させて記憶するデータベースと、
携帯端末からのアクセスに応じて当該アクセス元の携帯端末に対してテレビのチャンネル単位で選択できる選択肢を有する画面を生成して送信する第１送信手段と、
前記携帯端末から、前記第１送信手段で送信した画面に対するチャンネル操作による選択チャンネルを受け付ける受付手段と、
前記データベースを参照して前記受付手段で受け付けられた選択チャンネルにおいて現時刻が該当する放送時間帯に対応するＵＲＬを読み出し、当該読み出されたＵＲＬの情報を前記アクセス元の携帯端末に対して送信する第２送信手段と、
を備えたことを特徴とする情報提供システム。
【請求項２】
ネットワークを介して携帯端末との間で通信するサーバの情報提供方法であって、
前記サーバには、テレビのチャンネル毎に、番組タイトル、放映時間帯および当該番組タイトルの詳細情報を入手するためのリンク先となるＵＲＬを対応させて記憶するデータベースが設けられており、
携帯端末からのアクセスに応じて当該アクセス元の携帯端末に対してテレビのチャンネル単位で選択できる選択肢を有する画面を生成して送信する第１ステップと、
前記携帯端末から、前記第１ステップで送信した画面に対するチャンネル操作による選択チャンネルを受け付ける第２ステップと、
前記データベースを参照して前記第２ステップで受け付けられた選択チャンネルにおいて現時刻が該当する放送時間帯に対応するＵＲＬを読み出し、当該読み出されたＵＲＬの情報を前記アクセス元の携帯端末に対して送信する第３ステップと、
を含んだことを特徴とする情報提供方法。
【請求項３】
ネットワークを介して携帯端末との間で通信するサーバのコンピュータにより実行可能な情報提供プログラムであって、
前記コンピュータに、
前記サーバには、テレビのチャンネル毎に、番組タイトル、放映時間帯および当該番組タイトルの詳細情報を入手するためのリンク先となるＵＲＬを対応させて記憶するデータベースが設けられており、
携帯端末からのアクセスに応じて当該アクセス元の携帯端末に対してテレビのチャンネル単位で選択できる選択肢を有する画面を生成して送信する第１ステップと、
前記携帯端末から、前記第１ステップで送信した画面に対するチャンネル操作による選択チャンネルを受け付ける第２ステップと、
前記データベースを参照して前記第２ステップで受け付けられた選択チャンネルにおいて現時刻が該当する放送時間帯に対応するＵＲＬを読み出し、当該読み出されたＵＲＬの情報を前記アクセス元の携帯端末に対して送信する第３ステップと、
を実行させることを特徴とする情報提供プログラム。
【手続補正２】
【補正対象書類名】明細書
【補正対象項目名】０００８
【補正方法】変更
【補正の内容】
【０００８】
上述した課題を解決し、上記目的を達成するため、請求項１の発明に係る情報提供システムは、ネットワークを介して携帯端末との間で通信する情報提供システムであって、テレビのチャンネル毎に、番組タイトル、放映時間帯および当該番組タイトルの詳細情報を入手するためのリンク先となるＵＲＬを対応させて記憶するデータベースと、携帯端末からのアクセスに応じて当該アクセス元の携帯端末に対してテレビのチャンネル単位で選択できる選択肢を有する画面を生成して送信する第１送信手段と、前記携帯端末から、前記第１送信手段で送信した画面に対するチャンネル操作による選択チャンネルを受け付ける受付手段と、前記データベースを参照して前記受付手段で受け付けられた選択チャンネルにおいて現時刻が該当する放送時間帯に対応するＵＲＬを読み出し、当該読み出されたＵＲＬの情報を前記アクセス元の携帯端末に対して送信する第２送信手段と、を備えたことを特徴とするものである。
【手続補正３】
【補正対象書類名】明細書
【補正対象項目名】０００９
【補正方法】変更
【補正の内容】
【０００９】
また、請求項２の発明に係る情報提供方法は、ネットワークを介して携帯端末との間で通信するサーバの情報提供方法であって、前記サーバには、テレビのチャンネル毎に、番組タイトル、放映時間帯および当該番組タイトルの詳細情報を入手するためのリンク先となるＵＲＬを対応させて記憶するデータベースが設けられており、携帯端末からのアクセスに応じて当該アクセス元の携帯端末に対してテレビのチャンネル単位で選択できる選択肢を有する画面を生成して送信する第１ステップと、前記携帯端末から、前記第１ステップで送信した画面に対するチャンネル操作による選択チャンネルを受け付ける第２ステップと、前記データベースを参照して前記第２ステップで受け付けられた選択チャンネルにおいて現時刻が該当する放送時間帯に対応するＵＲＬを読み出し、当該読み出されたＵＲＬの情報を前記アクセス元の携帯端末に対して送信する第３ステップと、を含んだことを特徴とするものである。
【手続補正４】
【補正対象書類名】明細書
【補正対象項目名】００１０
【補正方法】変更
【補正の内容】
【００１０】
また、請求項３の発明に係る情報提供プログラムは、ネットワークを介して携帯端末との間で通信するサーバのコンピュータにより実行可能な情報提供プログラムであって、前記コンピュータに、前記サーバには、テレビのチャンネル毎に、番組タイトル、放映時間帯および当該番組タイトルの詳細情報を入手するためのリンク先となるＵＲＬを対応させて記憶するデータベースが設けられており、携帯端末からのアクセスに応じて当該アクセス元の携帯端末に対してテレビのチャンネル単位で選択できる選択肢を有する画面を生成して送信する第１ステップと、前記携帯端末から、前記第１ステップで送信した画面に対するチャンネル操作による選択チャンネルを受け付ける第２ステップと、前記データベースを参照して前記第２ステップで受け付けられた選択チャンネルにおいて現時刻が該当する放送時間帯に対応するＵＲＬを読み出し、当該読み出されたＵＲＬの情報を前記アクセス元の携帯端末に対して送信する第３ステップと、を実行させることを特徴とするものである。
【手続補正５】
【補正対象書類名】明細書
【補正対象項目名】００３１
【補正方法】変更
【補正の内容】
【００３１】
携帯電話１からの終了操作や電子商取引が成立すると、携帯電話１に対する終了通知が作成され、送信される（ステップＳ２０７）。携帯電話１においては、サーバ４より受信された終了通知に基づく画面が形成される（ステップＳ１０８）。